(57)【要約】【課題】  ウエストバンド周辺を意図的に折り返して裾丈を短くして着用することが防止できるスカートを提供する。【解決手段】  スカート表地１１の上部とウエストバンド裏地２２との間に、ウエストバンド周辺の折返しを防止するための面状補強材３０を挟み込み、腰回り方向に縫着することによってスカート１０を構成した。面状補強材３０は、後身頃側（図のＡ側）のウエストバンド裏地２２の実質的に全体に添って長手状に延びる帯状部材となっている。このとき、面状補強材３０の一部は、ウエストバンド裏地２２の下端より下側に延在するよう配設されている。【選択図】  図１
2005113299.tif 000002
【特許請求の範囲】
【請求項１】
スカート表地の上部とウエストバンド裏地との間に面状補強材が挟まれた状態で腰回り方向に縫着され、前記面状補強材の少なくとも一部が、ウエストバンド裏地の下端より下側に延在するよう配設されてなるスカート。
【請求項２】
面状補強材が、腰回り方向に添って長手状に延びる帯状部材である請求項１記載のスカート。
【請求項３】
面状補強材が、後身頃側のウエストバンド裏地の実質的に全体に添って長手状に延びる帯状部材である請求項２記載のスカート。
【請求項４】
面状補強材が、面状芯材と該面状芯材を覆う被覆材とからなる請求項２又は３記載のスカート。
【請求項５】
面状補強材が、面状芯材と、該面状芯材に添って腰回り方向に垂直となる上下方向を向くよう配設された線状芯材と、面状芯材及び線状芯材を被覆連結する被覆材とからなる請求項４記載のスカート。
【請求項６】
面状芯材が、織布、不織布又は樹脂フィルムからなる請求項５記載のスカート。
【請求項７】
線状芯材が、金属、硬質樹脂、木材又は竹材からなる請求項５又は６記載のスカート。
【請求項８】
面状補強材が、ウエストバンド裏地の下端より下側でスカート表地と腰回り方向に垂直な方向に縫着されてなる請求項１〜７いずれか記載のスカート。
【請求項９】
腰回り方向に垂直な方向のプリーツがスカート表地に形成され、面状補強材が、スカート表地と前記プリーツの谷に添って腰回り方向に垂直な方向に縫着されてなる請求項８記載のスカート。
【発明の詳細な説明】
【技術分野】
【０００１】
本発明は、ウエストバンドとともに身頃地を意図的に折り返して短い裾丈で着用されることを防止したスカートに関する。
【背景技術】
【０００２】
従来、ウエスト部周辺にウエストバンド（下衣の上端の開口部を囲繞するように設けられたやや硬質な帯部）が設けられたスカートやズボン等の下衣が知られている。このような下衣は、ウエスト部周辺の保形性に優れたものとして広く普及している。
【０００３】
例えば、特許文献１には、ズボンの腰回り構造として、ズボンの表地である前身頃と後身頃に腰裏地を縫い合わせて腰回り線を形成するに際して、身頃の腰回り線の内側に当接して腰裏地より堅い芯地テープを設けたことを特徴とするものが記載されている。これにより、縫い合わせに手間を掛けることなく、腰回り線が綺麗で、長期の着用や丸洗いによる腰裏地の吹出しのない良好なズボンを仕立て上げることが可能になるとされている。
【０００４】
また、特許文献２には、スラックスの滑り止め兼用パッドとして、保形性を有する芯材に柔軟性を有するフィット材を付設したパッドの形状を、前腰からヒップの上部にかけて当接する長さのベルト状パッドに形成しこのベルト状パッドの中程稍前寄りの下線部を切除して腰骨に係止する係合細条部を形成し、このベルト状パッドをスラックスの左右の開口部内側に付設することを特徴とするものが記載されている。これにより、滑り落ちる心配のない履き心地の良いスラックスを提供することが可能になるとされている。
【０００５】
【特許文献１】実開昭５７−０３４５１４号公報（実用新案登録請求の範囲、４〜５頁、第２図、第３図）
【特許文献２】実開昭５８−１３１９０８号公報（実用新案登録請求の範囲、６〜７頁、第１図）
【発明の開示】
【発明が解決しようとする課題】
【０００６】
ところで、近年、中学校や高等学校の教職員が頭を悩ませている問題の一つに、生徒の制服の乱れがある。例えば、一部の女子生徒は、最近のミニスカートブームに則って、著しく裾丈の短いスカートを好んで着用する傾向がある。裾丈が短すぎるスカートは、学内風紀の乱れの端緒となり得るだけでなく、善からぬ輩を触発して彼女達を犯罪の被害者にしてしまうおそれもあるために制服として好ましくないとの理由から、制服のスカートの裾丈を校則で規制している学校も多い。しかし、学内においては通常の裾丈のスカートで過ごしながらも、学外においてはスカートのウエストバンドを身頃地とともに意図的に折り返してスカートの裾丈を短くして過ごす女子生徒もおり、その校則の実質的な効果については疑問があった。このため、ウエストバンド周辺の意図的な折返しが困難なスカートを供給して欲しいという要望が、教職員から制服メーカーに届けられるようになってきていた。
【０００７】
しかし、特許文献１のズボンの腰回り構造や、特許文献２のスラックスの滑り止め兼用パッドは、そもそも目的が相違しているうえに、仮にスカートに応用できたとしても、ウエストバンド周辺の意図的な折返しを効果的に防止できるものではなかった。即ち、特許文献１のズボンの腰回り構造は、芯地テープが切替ベルト（ウエストバンド）の中に入れられるものであるために、切替ベルト周辺が、該切替ベルトの（腰回り方向に垂直な方向の）幅よりも広い幅で折り返されるのを防止することができないものであった。また、特許文献２のスラックスの滑り止め兼用パッドは、ウエスト部から取り外すことが可能なものであるために、該パッドを一時的に取り外すことによってウエストバンド周辺を意図的に折り返すことが容易な状態となってしまうものであった。
【０００８】
従って、本発明は、ウエストバンドを身頃地とともに意図的に折り返して、本来の裾丈よりも短い裾丈で着用されることを防止したスカートの提供を課題とするものである。
【課題を解決するための手段】
【０００９】
上記課題は、スカート表地の上部とウエストバンド裏地との間に面状補強材が挟まれた状態で腰回り方向（緯線方向）に縫着され、面状補強材の少なくとも一部が、ウエストバンド裏地の下端より下側に延在するよう配設されてなるスカートを提供することによって解決される。このスカートは、面状補強材の少なくとも一部が、ウエストバンド裏地の下端より下側に延在するよう配設されたものであるために、ウエストバンドの幅よりも広い幅の折返しであっても防止することができるものである。また、面状補強材をウエストバンドの周部の一部のみに配した場合には、ウエストバンド周辺を面状補強材の（腰回り方向に垂直な方向の）幅よりも広い幅で折り返すといった強引な折返しをも防止することが可能となる。さらに、面状補強材が、スカート表地の上部とウエストバンド裏地との間に挟まれた状態で腰回り方向に縫着されたものであるために、面状補強材を一時的に取り外すことが困難なものである。
【００１０】
このとき、面状補強材が、腰回り方向（緯線方向）に添って長手状に延びる帯状部材であることが好ましい。これにより、ウエストバンド周辺の折返しだけでなく捩れを防止することも可能となる。またこのとき、面状補強材が、後身頃側のウエストバンド裏地の実質的に全体に添って長手状に延びる帯状部材であるとより好適である。これにより、スカートを、歩行や前屈運動等の股関節を曲げる運動を妨げ難いものとすることが可能となる。
【００１１】
また、面状補強材が、面状芯材と該面状芯材を覆う被覆材とからなることも好ましい。これにより、被覆材にソフトで肌触りの良好な素材を選択して、面状補強材を、曲げ剛性と肌触りの双方に優れたものとすることも可能となる。このとき、面状補強材が、面状芯材と、該面状芯材に添って腰回り方向に垂直となる上下方向を向くよう配設された線状芯材と、面状芯材及び線状芯材を被覆連結する被覆材とからなることも好ましい。これにより、面状補強材における腰回り方向に垂直な方向の曲げ剛性を、線状芯材に負担させることが可能となり、面状補強材の曲げ剛性を、線状芯材を使用しない場合よりも低くすることが可能となる。
【００１２】
さらに、面状補強材が、ウエストバンド裏地の下端より下側でスカート表地と腰回り方向に垂直な方向（経線方向）に縫着されてなることも好ましい。これにより、面状補強材とスカート表地との一体性を高めて、面状補強材の取り外しをさらに困難とするだけでなく、スカートを着用した際に、面状補強材の上下が反転してウエストバンドの上側からスカートの外側に露出してしまうことを防止できる。
【００１３】
このとき、腰回り方向に垂直な方向（経線方向）のプリーツがスカート表地に形成され、面状補強材が、スカート表地と前記プリーツの谷に添って腰回り方向に垂直な方向（経線方向）に縫着されてなることが好ましい。これにより、面状補強材とスカート表地とを縫着した際にスカート表地の表面側（スカートの着用時に着用者に触れない側）に生じる縫い目をプリーツで隠して目立たなくさせることが可能となる。
【発明の効果】
【００１４】
以上のように、本発明は、ウエストバンドを身頃地とともに意図的に折り返して本来の裾丈よりも短い裾丈で着用されることを防止したスカートを提供するものである。このため、制服本来の正しい姿で着用させることができるスカートを提供することも可能となる。
【発明を実施するための最良の形態】
【００１５】
以下、本発明のスカートを、図面を使用してより具体的に説明する。図１は、本発明のスカートを前身頃側から見た斜視図である。図２は、図１におけるスカートの後身頃側を平面状に展開して内側から見た模式図である。図３は、図２におけるＢ−Ｂ断面の分解模式図である。
【００１６】
本発明のスカート１０は、図１に示すように、面状補強材３０がウエストバンド２０の周辺に取り付けられてなる。図１においては、矢印Ａ側がスカート１０の後身頃側となっている。詳細については後述するが、面状補強材３０の上部は、スカート表地１１の上部とウエストバンド裏地２２との間に挟まれた状態で、スカート表地１１及びウエストバンド裏地２２と腰回り方向に縫着されており、また、面状補強材３０の一部は、ウエストバンド裏地２２の下端より下側に延在している。
【００１７】
面状補強材３０の上部は、図２に示すように、スカート表地１１及びウエストバンド裏地２２と腰回り方向に縫着されており（縫目４１）、面状補強材３０の下部は、ウエストバンド裏地２２の下端２３より下側に延在している。図２においては、紙面手前が内側（スカートの着用時に着用者に触れる側）となっている。面状補強材３０の最下端３３からウエストバンド裏地２２の下端２３までの、腰回り方向に垂直な方向に添った長さＬ１は、ウエストバンド２０の（腰回り方向に垂直な方向の）幅によっても異なり、特に限定されないが、ウエストバンド２０の幅が一般的な範囲（２〜８ｃｍ）である場合には、２〜１５ｃｍであることが好ましい。Ｌ１が２ｃｍ未満であると、ウエストバンド周辺の折返しを十分に防止できなくなるおそれがあり、１５ｃｍよりも大きいと、スカートの着用時に身体を動かし難くなるおそれがある。Ｌ１は、５ｃｍ以上であるとより好適であり、６ｃｍ以上であるとさらに好適であり、７ｃｍ以上であると最適である。また、Ｌ１は、１２ｃｍ以下であるとより好適であり、１１ｃｍ以下であるとさらに好適であり、１０ｃｍ以下であると最適である。本実施態様において、Ｌ１は、約８．５ｃｍとなっている。
【００１８】
面状補強材３０の形状は、面状補強材３０の上部がウエストバンド裏地２２に縫着された際に、面状補強材３０の少なくとも一部がウエストバンド裏地２２の下端よりも下側に延在するものであれば特に限定されないが、本実施態様において、面状補強材３０は、図１又は図２に示すように、腰回り方向に添って長手状に延びる帯状部材となっている。帯状部材の（腰回り方向の）長さは、通常１５〜７０ｃｍであり、本実施態様においては約３０ｃｍとなっている。また、帯状部材の（腰回り方向に垂直な方向の）幅は、通常３〜２０ｃｍであり、本実施態様においては約１０ｃｍとなっている。帯状部材が、着用者の臀部の膨らんだ部分（面状補強材３０を後身頃側に配する場合）や、大腿部の付根（面状補強材３０を前身頃側に配する場合）まで達する場合には、面状補強材３０の臀部の膨らみに当る部分や大腿部の付根に当る部分に切欠き部を設けても良い。
【００１９】
面状補強材３０を配する場所は、ウエストバンド２０の周部の一部又は全周部であれば特に限定されないが、ウエストバンド２０の周部の一部である（ウエストバンド２０の全周部でない）ことが好ましい。このように、面状補強材３０をウエストバンド２０の周部の一部のみに配することで、仮にウエストバンド２０が身頃地とともに面状補強材３０の幅よりも広い幅で折り返されたとしても、ウエストバンド２０の周部の身頃地が、面状補強材３０が配された箇所と配されていない箇所とで不均等な幅で折り返されるようになり、スカート１０を不格好な状態とすることが可能となる。このため、ウエストバンド周辺を面状補強材３０の幅よりも広い幅で折り返すといった強引な折り返しをも防止することが可能となる。面状補強材３０を配する場所は、ウエストバンド２０の半周部であるとより好適である。本実施態様において、面状補強材３０は、図１又は図２に示すように、ウエストバンド２０の後身頃側の半周部に配されている。スカート１０の前身頃側には、面状補強材３０は配されていない。
【００２０】
ウエストバンド２０の周部に配する面状補強材３０の枚数は、面状補強材３０やスカートの寸法等によって適宜選択され、特に限定されないが、縫着の容易性等を考慮して、できるだけ少ない枚数であることが好ましい。面状補強材３０の枚数は、通常１〜４枚であり、本実施態様においては、図１又は図２に示すように、１枚の面状補強材３０を使用している。
【００２１】
面状補強材３０は、単一素材で構成された単層構造のものであっても良いが、図３に示すように、面状芯材３１と被覆材３２とが別個の素材で構成された複層構造のもの（面状芯材を使用したスカート）であることが好ましい。図３においては、図面の左側が、内側（スカートの着用時に着用者に触れる側）となっており、図面の右側が外側（スカートの着用時に着用者に触れない側）となっている。本実施態様においては、面状芯材３１に添って腰回り方向に垂直な方向を向くよう配設された線状芯材（図示省略）が、縫目４３（図２）に添った位置に配設されている。線状芯材の上端は、面状芯材３１の上端に達しており、線状芯材の下端は、面状芯材３１の下端に達している。線状芯材の取付は、腰回り方向に垂直な方向の鞘（図示省略）を被覆材３２に設けて、該鞘に線状芯材を挿着することによって行っても良いし、面状芯材３１や被覆材３２に、線状芯材を直接接着することによって行っても良い。線状芯材の取付位置は、補強材３０の内側の表面（図３の被覆材３２の左側の表面）であっても良いが、補強材３０の内部（図３の面状芯材３１と被覆材３２との間）や、補強材３０の外側の表面（図３の面状芯材３１又は被覆材３２とスカート表地１１との間）であることが好ましい。これにより、線状芯材を外部から取り外すことが困難となる。線状芯材を配置する腰回り方向の間隔は、面状芯材３１や線状芯材の曲げ剛性等によって異なり、特に限定されないが、通常、３〜２０ｃｍ程度である。
【００２２】
面状芯材３１の素材は、織布、不織布、樹脂フィルム、樹脂フィルムを織布又は不織布に熱溶着したもの等が例示されるが、本実施態様においては、吸汗性やコストを考慮して、織布を使用している。面状芯材３１の厚さは、通常０．５〜５．０ｍｍであり、本実施態様においては、約２．０ｍｍとなっている。また、線状芯材の素材としては、金属、硬質樹脂、木材又は竹材等が例示される。本実施態様においては、曲げ剛性を考慮して、金属を使用している。線状芯材の（長手方向に垂直な）断面の半径は、通常０．５〜５．０ｍｍであり、本実施態様においては、約１．５ｍｍとなっている。さらに、被覆材３２の素材としては、織布、不織布、スレーキ、ボアフリース等の各種フリースが例示されるが、本実施態様においては、スカート表地１１と同じ素材の織布を使用している。このように、面状芯材３１と線状芯材と被覆材３２とを組み合わせることによって、補強材３０を、腰回り方向に押し潰すことが困難であり、腰回り方向に垂直な方向に折り曲げることも困難でありながら、吸汗性や肌触りに優れたものとすることが可能となる。面状補強材３０の通気性や通水性を向上させたい場合には、面状芯材３１や被覆材３２をメッシュ状にしてもよい。
【００２３】
面状補強材３０の腰回り方向に垂直な方向の曲げ剛性は、低すぎるとウエストバンド周辺を意図的に折り返すことが容易となるおそれがあるために、人力によって腰回り方向に垂直な方向に折り曲げるのが容易でない程度であることが好ましい。また、面状補強材３０の腰回り方向の曲げ剛性は、高すぎると着用者がウエストバンド周辺に違和感を感じるおそれがあるために、人力によって腰回り方向に折り曲げるのが困難でない程度であることが好ましい。
【００２４】
続いて、面状補強材３０とスカート表地１１及びウエストバンド裏地２２との縫着について説明する。面状補強材３０の上部は、図３に示すように、スカート表地１１の上部とウエストバンド裏地２２との間に挟まれた状態で縫着される。本実施態様においては、図面左側（内側）から図面右側（外側）に向かって、ウエストバンド裏地２２、面状補強材３０、スカート表地１１、ウエストバンド表地２１の順に配されているが、これに限定されるものではなく、例えば、面状補強材３０とスカート表地１１との間や、ウエストバンド裏地２２と面状補強材３０との間に、スカート裏地（図示省略）が配されたものであっても良い。また、スカート表地１１とウエストバンド表地２１や、スカート表地１１とウエストバンド裏地２２とが、繋がった１枚の生地によって構成されていても良い。
【００２５】
図３における矢印Ｃ〜Ｅは、ウエストバンド裏地２２、面状補強材３０、スカート表地１１、ウエストバンド表地２１を縫着する箇所を表している。矢印Ｃの箇所では、面状補強材３０の芯材３１と被覆材３２とが縫着される。また、矢印Ｄの箇所では、ウエストバンド裏地２２と面状補強材３０とスカート表地１１とウエストバンド表地２１とが縫着され、矢印Ｄの箇所では、ウエストバンド裏地２２とウエストバンド表地２１とが縫着される。本実施態様において、面状補強材３０の上部は、スカート１０の本体と矢印Ｄの箇所で縫着されているだけであるが、これに限定されるものではなく、例えば、矢印Ｄの箇所で縫着されたものであっても良い。矢印Ｃ〜Ｅの箇所で縫着した際に生じる縫目は、それぞれ、図２における縫目４０〜４２となる（順序同じ）。
【００２６】
面状補強材３０は、その上部がスカート表地１１及びウエストバンド裏地２２と縫着されただけのものであってもよいが、図２に示すように、ウエストバンド裏地２２の下端２３より下側で、スカート表地１１と腰回り方向に垂直な方向に縫着されていることが好ましい（縫目４３）。これにより、スカート１０を着用する際に、面状補強材３０の下端がウエストバンド裏地２２の上側に反転して、面状補強材３０が、ウエストバンド２０の上側からスカート１０の外側に吹き出すのを防止することが可能となる。このとき、スカート表地１１の腰回り方向に垂直な方向に複数のプリーツ１２が形成され、面状補強材３０が、スカート表地１１とプリーツ１２の谷に添って腰回り方向に垂直な方向に縫着されているとより好ましい。これにより、縫目４３を、プリーツ１２で隠してスカート表地１１の外側（スカートの着用時に着用者に触れない側）から見え難いものとすることが可能となる。
【図面の簡単な説明】
【００２７】
【図１】本発明のスカートを前身頃側から見た斜視図である。
【図２】図１におけるスカート前部を平面状に展開して内側から見た模式図である。
【図３】図２におけるＢ−Ｂ断面の分解模式図である。
【符号の説明】
【００２８】
１０  スカート
１１  スカート表地
１２  プリーツ
２０  ウエストバンド
２１  ウエストバンド表地
２２  ウエストバンド裏地（腰裏）
３０  面状補強材
３１  面状芯材
３２  被覆材
４０〜４３  縫目
５０  ファスナー
【図１】
2005113299.tif 000003
【図２】
2005113299.tif 000004
【図３】
2005113299.tif 000005